(57)【要約】【課題】身体の健康に良いマイナスイオンを発生する電気機器を提供すること。【解決手段】商用電源の電源コンセントに電源プラグ１４を接続している状態で、コントローラ１０の運転スイッチ１５を操作すると電気ヒータ３、送風機および人体センサー１１に電源が供給され、ダイヤルを回すことにより、電気ヒータ３は感熱抵抗素子の感知温度と温度調節ボリュームの設定によって電力供給量が制御されることで電気こたつ１内の温度がほぼ一定に保たれる。また、送風機により電気ヒータ３により暖められた暖気が電気こたつ１内の暖房空間Ａ内を循環する。そして、この運転スイッチ１５が操作された状態下で選択スイッチ１７を閉成すると、マイナスイオン発生器１６に電源が供給されてマイナスイオンが発生し、コントローラ１０に開設した開口１０Ａを介して室内に放出される。【選択図】  図１
2004317001.tif 000002
【特許請求の範囲】
【請求項１】
コントローラにより制御される電気機器において、前記コントローラ内部にマイナスイオンを発生するマイナスイオン発生器を内蔵したことを特徴とする電気機器。
【請求項２】
コントローラにより制御される電気機器において、前記コントローラにマイナスイオン発生スイッチを設けると共に、内部にマイナスイオンを発生するマイナスイオン発生器を内蔵したことを特徴とする電気機器。
【請求項３】
コントローラにより制御される電気機器において、前記コントローラ内部に電源を供給するための電源投入スイッチに連動してオン・オフすると共にマイナスイオンを発生するマイナスイオン発生器を内蔵したことを特徴とする電気機器。
【請求項４】
前記コントローラが有線式又は無線式であることを特徴とする請求項１乃至請求項３のいずれかに記載の電気機器。
【発明の詳細な説明】
【０００１】
【発明の属する技術分野】
本発明は、コントローラにより制御される電気機器に関するものである。
【０００２】
【従来の技術】
コントローラにより制御される電気機器、例えばリモートコントローラにより制御される電気こたつは、特開２００１−１２７５０号公報に開示されている。また昨今、マイナスイオンは、細胞を活性化して免疫力の向上、精神の安定、疲労感の軽減などの効果があることが広く知られている。
【０００３】
【発明が解決しようとする課題】
そこで本発明は、上記の点に鑑み、身体の健康に良いマイナスイオンを発生する電気機器を提供することを目的とする。
【０００４】
【課題を解決するための手段】
このため第１の発明は、コントローラにより制御される電気機器において、前記コントローラ内部にマイナスイオンを発生するマイナスイオン発生器を内蔵したことを特徴とする。
【０００５】
また第２の発明は、コントローラにより制御される電気機器において、前記コントローラにマイナスイオン発生スイッチを設けると共に、内部にマイナスイオンを発生するマイナスイオン発生器を内蔵したことを特徴とする。
【０００６】
また第３の発明は、コントローラにより制御される電気機器において、前記コントローラ内部に電源を供給するための電源投入スイッチに連動してオン・オフすると共にマイナスイオンを発生するマイナスイオン発生器を内蔵したことを特徴とする。
【０００７】
更に第４の発明は、第１乃至第３の発明において、前記コントローラが有線式は無線式であることを特徴とする。
【０００８】
【発明の実施の形態】
以下図１および図２に基づき、本発明の第１の実施の形態について、電気機器、例えば電気こたつを例として説明する。先ず、図１において、１は電気カーペットなどの略中央に載置される電気こたつで、矩形をなす本体型枠２内に設けた天板の略中央下部に下方から吸込んだ空気を放射状に水平方向に送風する送風機及び例えば石英管の中に通電により赤熱するタングステン線ヒータを内蔵しハロゲン化合物、不活性ガスを封入した電気ヒータ３を備えている。
【０００９】
前記本体型枠２をこの４隅に配した支持脚４により床面上に支持することで暖房空間Ａを形成している。また、この本体型枠２の上部には支持脚４の外側を覆うこたつ布団５を介して卓板６を載置している。
【００１０】
そして、電気こたつ１の暖房空間Ａ内に足や身体を入れたときに前記電気ヒータ３に直接触れて火傷などが起こるのを防止する網目状の保護カバー（図示せず）が設けられ、この保護カバー内に設けた感熱抵抗素子の抵抗と後述する有線式のコントローラ１０内に設けた温度調節ボリュームで設定された抵抗の合成抵抗により前記電気ヒータ３への電力供給量を制御し温度調節がなされる。また、保護カバー内には安全保護のための温度ヒューズ（図示せず）が設けられ、この保護カバー９内の空間が異常過熱温度の状態になった場合に作動して前記電気ヒータ３や送風機への通電を遮断する。
【００１１】
１１は暖房空間Ａ内における人体（使用者）を検出するためのセンサーとしての赤外線センサーから構成される人体センサーで、１つの支持脚４の内方である暖房空間Ａ側にに着脱自在に固定され、かつ暖房空間Ａの対角線上にある支持脚４に向けて対向する位置に配置している。
【００１２】
１２は電源を電気ヒータ３に供給する電源線で、一端を負荷としての電気ヒータ３および送風機と接続する負荷側プラグ１３に接続すると共にその途中に人体センサー１１およびコントローラ１０を介して他端をＡＣ１００Ｖの商用電源の電源コンセント（図示せず）に接続するための電源プラグ１４に接続している。
【００１３】
また図２に示すように、前記コントローラ１０は、ダイヤルを回すことにより電気こたつ１の運転を開始させたり、強弱を選択したり、停止させたり選択切換えるための運転スイッチ１５と、その下部にはコントローラ１０内部に内蔵されたマイナスイオン発生器１６によりマイナスイオンを発生させるか否かを選択する選択スイッチ１７、速暖スイッチ１８及び速暖スイッチ１８による速暖運転の旨を表示する速暖ランプ１９、その下部に省エネスイッチ２０及び省エネスイッチ２０による省エネ運転の旨を表示する省エネランプ２１、その下部には運転スイッチ１５による運転状態を表示する運転ランプ２２が設けられている。そして、運転スイッチ１５が操作されることで電気ヒータ３、送風機および人体センサー１１に電源が供給されるように構成されており、この運転スイッチ１５が操作された状態下で前記選択スイッチ１７の閉成によりマイナスイオン発生器１６に電源が供給されてマイナスイオンが発生し、コントローラ１０に開設した開口１０Ａを介して室内に放出するように構成される。
【００１４】
なお、このマイナスイオン発生器１６は電気式であり高電圧が印加された針電極（金属）から電子が周囲の空中に放出され、その電子が空気中の中性分子に付着してマイナスイオンを生成するものである。
【００１５】
次に、上述する構成による電気こたつ１の動作について説明する。商用電源の電源コンセントに電源プラグ１４を接続している状態で、コントローラ１０の運転スイッチ１５を操作すると電気ヒータ３、送風機および人体センサー１１に電源が供給され、ダイヤルを回すことにより、前記電気ヒータ３は感熱抵抗素子の感知温度と温度調節ボリュームの設定によって電力供給量が制御されることで電気こたつ１内の温度がほぼ一定に保たれる。また、送風機により電気ヒータ３により暖められた暖気が電気こたつ１内の暖房空間Ａ内を循環する。
【００１６】
そして、この運転スイッチ１５が操作された状態下で前記選択スイッチ１７を閉成すると、マイナスイオン発生器１６に電源が供給されてマイナスイオンが発生し、コントローラ１０に開設した開口１０Ａを介して室内に放出される。従って、電気こたつ１の使用者の近くでマイナスイオンが発生して、これを浴することができるから、使用者の身体の健康に良い効果がある。
【００１７】
また人体センサー１１は、運転スイッチ１５の操作により電源が供給されると暖房空間Ａ内での人体が発する赤外線を検出することで、この空間Ａ内での使用者の有無検出を開始する。そして、赤外線入射量が連続して所定時間（例えば３０分間）変化しない時には使用者が不在であると制御回路が判断して、負荷側のマイナスイオン発生器１６および電気ヒータ３、送風機への通電を遮断して停止させる。その後、人体センサー１１による負荷側への通電停止中に使用者が暖房空間Ａ内に足を入れると、人体センサー１１はこれを検出すると再び負荷側のマイナスイオン発生器１６、電気ヒータ３および送風機へ通電して暖房を行う。
【００１８】
このように、使用者の有無を検出して上述の動作を繰り返すことで、使用者がコントローラ１０の運転スイッチ１５の切り忘れがあっても、自動的に負荷側への通電を遮断するように構成している。
【００１９】
また、電源の初期通電時には必ず負荷側に通電するよう構成しているため、例えばコントローラ１０の運転スイッチ１５を入れただけで、誰も電気こたつ１内の暖房空間Ａ内で暖を取らなかった場合においては、使用者不在を検出する所定時間である３０分後に負荷側のマイナスイオン発生器１６、電気ヒータ３および送風機への通電を遮断して停止するものである。
【００２０】
さらに、人体センサー１１が使用者の不在を判定した時には負荷側の電気ヒータ３のみへの通電を停止させるように構成しても良い。
【００２１】
また、前記人体センサー１１により使用者が不在であることを検出する所定時間を、使用者が任意に選択設定できるようにする選択スイッチを人体センサー１１本体に設けても良い。
【００２２】
なお、運転スイッチ１５を停止状態に操作すると、負荷側のマイナスイオン発生器１６、電気ヒータ３および送風機への通電は遮断される。このように、運転スイッチ１５の停止状態への操作に連動してマイナスイオン発生器１６への通電を停止するように構成したが、これに限らず運転スイッチ１５の運転状態への操作に連動してマイナスイオン発生器１６への通電を開始させるように構成してもよい。これにより、選択スイッチ１７が不要となる。
【００２３】
更には、電気こたつ１を運転させる運転スイッチ１５の操作とは関係なく、選択スイッチ１７だけの操作でマイナスイオン発生器１６によりマイナスイオンを発生させるようにしてもよい。また、運転スイッチ１５が操作された状態下で選択スイッチ１７を操作すると、図示しないタイマーにより一定時間だけマイナスイオン発生器１６によりマイナスイオンを発生させるようにしてもよいし、更には運転スイッチ１５の操作とは関係なく、選択スイッチ１７だけの操作で図示しないタイマーにより一定時間だけマイナスイオン発生器１６によりマイナスイオンを発生させるようにしてもよい。
【００２４】
次に、図３および図４に基づき、第２の実施形態について説明する。上記第１の実施形態と同一の番号は同一の機能を有するものとして、説明は省略する。３２は電源を電気ヒータ３に供給する電源線で、一端を負荷としての電気ヒータ３および送風機と接続する負荷側プラグ１３に接続すると共に他端をＡＣ１００Ｖの商用電源の電源コンセント（図示せず）に接続するための電源プラグ１４を備えた制御器３３に接続している。
【００２５】
前記制御器３３は電熱動作の制御を行うためのもので、リモートコントローラ３４からの無線信号、例えば赤外光による無線信号３５を制御器３３に設けた受波部分３６に与えて、電熱動作の制御を行う制御部分を無線遠隔操作により操作する。
【００２６】
前記リモートコントローラ３４は、テレビジョンや空調機器などの遠隔操作に使用しているような赤外光により遠隔操作を行うための遠隔操作器と同様な手持ち可能なもので、各操作部分で操作した制御の種別に従った内容をもつ赤外光による無線信号３５を送波部分３７から制御器３３に向けて送信する。また、このリモートコントローラ３４内部には前記マイナスイオン発生器１６を内蔵する。
【００２７】
前記制御器３３は赤外光による無線信号３５を受波部分３６で受波して得られる信号に基づいて、制御の種別に従った出力を所要の制御部分に与えることにより、リモートコントローラ３４で操作した制御の種別に従った制御を行うように動作する。
【００２８】
リモートコントローラ３４の操作パネル４０に配置された各操作キーは、例えばメンブレン型のタッチキーによる操作スイッチであって、操作キー４１は電源の投入と温度の調節の操作、操作キー４２は電源の遮断の操作、操作キー４３はタイマー動作を電源の投入又は遮断のいずれかに切換える操作、操作キー４４はタイマー動作の時間長を設定する操作、操作キー４５は操作キー４１による電源の投入後にマイナスイオン発生器１６によりマイナスイオンを発生させるための操作を行うためのものである。
【００２９】
そして、この操作キー４１が操作された状態下で前記操作キー４５を操作すると、マイナスイオン発生器１６に電源が供給されてマイナスイオンが発生し、リモートコントローラ３４に開設した開口３４Ａを介して室内に放出される。従って、電気こたつ１の使用者の近くでマイナスイオンが発生して、これを浴することができるから、使用者の身体の健康に良い効果がある。
【００３０】
次に、上述する構成による第２の実施形態の電気こたつ１の動作について説明する。商用電源の電源コンセントに電源プラグ１４を接続している状態で、リモートコントローラ３４の操作キー４１を操作すると電気ヒータ３および送風機に電源が供給され、前記電気ヒータ３は感熱抵抗素子の感知温度と温度調節ボリュームの設定によって電力供給量が制御されることで電気こたつ１内の温度がほぼ一定に保たれる。また、送風機により電気ヒータ３により暖められた暖気が電気こたつ１内の暖房空間Ａ内を循環する。
【００３１】
そして、この操作キー４１が操作された状態下で操作キー４５を操作すると、マイナスイオン発生器１６に電源が供給されてマイナスイオンが発生し、リモートコントローラ３４に開設した開口３４Ａを介して室内に放出される。従って、電気こたつ１の使用者の近くでマイナスイオンが発生して、これを浴することができるから、使用者の身体の健康に良い効果がある。
【００３２】
なお、操作キー４２を操作すると、負荷側のマイナスイオン発生器１６、電気ヒータ３および送風機への通電は遮断される。このように、操作キー４２の停止状態への操作に連動してマイナスイオン発生器１６への通電を停止するように構成したが、これに限らず操作キー４１の運転状態への操作に連動してマイナスイオン発生器１６への通電を開始させるように構成してもよい。これにより、操作キー４５が不要となる。
【００３３】
更には、電気こたつ１を運転させる操作キー４１の操作とは関係なく、操作キー４５だけの操作でマイナスイオン発生器１６によりマイナスイオンを発生させるようにしてもよい。また、操作キー４１が操作された状態下で操作キー４５を操作すると、図示しないタイマーにより一定時間だけマイナスイオン発生器１６によりマイナスイオンを発生させるようにしてもよいし、更には操作キー４１の操作とは関係なく、操作キー４５だけの操作で図示しないタイマーにより一定時間だけマイナスイオン発生器１６によりマイナスイオンを発生させるようにしてもよい。
【００３４】
以上のように、本実施形態では電気機器として電気こたつを例として説明したが、これに限らず、例えばＶＴＲ、テレビジョン、エアコンディショナーなどの他の電気機器でもよい。
【００３５】
以上本発明の実施形態について説明したが、上述の説明に基づいて当業者にとって種々の代替例、修正又は変形が可能であり、本発明はその趣旨を逸脱しない範囲で前述の代替例、修正又は変形を包含するものである。
【００３６】
【発明の効果】
以上説明したように本発明によれば、身体の健康に良いマイナスイオンを発生する電気機器を提供することができる。
【図面の簡単な説明】
【図１】第１の実施形態の電気こたつの縦断面図である。
【図２】コントローラの平面図である。
【図３】第２の実施形態の電気こたつの縦断面図である。
【図４】リモートコントローラの平面図である。
【符号の説明】
１                電気こたつ
３                電気ヒータ
１０              コントローラ
１５              運転スイッチ
１６              マイナスイオン発生器
１７              選択スイッチ
３４              リモートコントローラ
４１              操作キー
【図１】
2004317001.tif 000003
【図２】
2004317001.tif 000004
【図３】
2004317001.tif 000005
【図４】
2004317001.tif 000006